(57)【特許請求の範囲】
【請求項１】
電極と電極間の絶縁部とを備える生体電気インピーダンス測定用樹脂カバーにおいて、前記電極の材質を導電性樹脂とすると共に前記電極と前記絶縁部とを多色成形により一体成形したことを特徴とする生体電気インピーダンス測定装置用樹脂カバー。
【請求項２】
前記電極と前記絶縁部の表面の滑らかさが異なっていることを特徴とする請求項１に記載の生体電気インピーダンス測定装置用樹脂カバー。
【請求項３】
前記電極又は前記絶縁部のいずれか一方の表面が粗く、他方の表面が滑らかであることを特徴とする請求項２に記載の生体電気インピーダンス測定用樹脂カバー。
【請求項４】
前記電極と前記絶縁部とは異なる色とされていることを特徴とする請求項１ないし請求項３に記載の生体電気インピーダンス測定装置用樹脂カバー。
【請求項５】
前記電極のエリア内に外観上の電極が設けられていることを特徴とする請求項１ないし請求項３に記載の生体電気インピーダンス測定装置用樹脂カバー。
【請求項６】
前記電極の面積は前記外観上の電極の面積の２倍以上であることを特徴とする請求項５に記載の生体電気インピーダンス測定装置用樹脂カバー。
【請求項７】
前記電極のうち前記外観上の電極を除くエリアと前記絶縁部とは同色の色づけがなされていることを特徴とする請求項５または請求項６に記載の生体電気インピーダンス測定装置用樹脂カバー。
【請求項８】
前記生体電気インピーダンス測定装置は体重計付き体脂肪計であることを特徴とする請求項１ないし請求項７に記載の生体電気インピーダンス測定装置用樹脂カバー。
【発明の詳細な説明】
【０００１】
【発明の属する技術分野】
本発明は、生体電気インピーダンスを測定し、そのインピーダンスから体脂肪率、体水分量等を算出する生体電気インピーダンス測定装置用樹脂カバーに関する。
【０００２】
【従来の技術】
従来、一対の電流供給用電極及び一対の電圧測定電極を用いて生体の電気インピーダンスを測定し、体脂肪率等を算出する体重計付き体脂肪計（以下、体脂肪計という）が提案されている。これらの電極を備える樹脂カバー４０は、図６の体脂肪計の平面図、および図７のＣ−Ｃ側面断面図に示されているように、電極取付け部４１と、金属製の４個の電極４２と、これらの電極４２を電極取付け部４１に取付けるための両面テープ４３と、リード線４５と、身長等の個人データを入力したり、測定結果を表示する操作表示部１３とを備える。操作表示部１３は、体重及び体脂肪率等を表示する表示部１３ａと、年齢、性別、身長等をセットするセットボタン１３ｂと、選択ボタン１３ｃとを備える。
【０００３】
次に、図８のフローチャートを用いて、樹脂カバー４０の製作工程を説明する。ステップＳ１１において、金属製の電極４２を成形する。ステップＳ１２において、樹脂カバー４０を成形する。ステップＳ１３において、電極４２にリード線４５の一端を半田付けをする。ステップＳ１４において、この電極４２の裏側に両面テープ４３を貼り付ける。ステップＳ１５において、リード線４５の他端４５ａを、樹脂カバー４０の裏面に孔４４を通して引出す。ステップＳ１６において、樹脂カバー４０に設けた電極取付け部４１に電極４２を嵌め込む。ステップＳ１７において、表示操作部１３を樹脂カバー４０に嵌め込む。ステップＳ１８において、樹脂カバー４０をカバー４６に嵌め込む。ステップＳ１９において、リード線４５の他端４５ａを図示していない体脂肪計制御部に配線する。
【０００４】
【発明が解決しようとする課題】
上記したように、従来、体脂肪計の電極４２を別個に成形し、手作業で樹脂カバー４０に取付けているため、製作工数がかかり、部品点数が多くなり、組み立て及び部品コストが高くなる。また、電極の材質が金属のため測定時に足裏が冷たく感じ、違和感を感じる。更に、デザイン等の要因により電極と足裏との接触面積が十分とることが出来なかった。
【０００５】
本発明の目的は、かかる従来技術の課題を解決するために、組み立て工数の軽減と、部品点数の削減による安価な、外観上の電極の形を自由に設定できる、更には測定時に足裏が冷たく感じることが少ない、しかも電極と足裏との接触面積が十分な生体電気インピーダンス測定装置用樹脂カバーを提供することである。
【０００６】
【課題を解決するための手段】
本発明の生体電気インピーダンス測定用樹脂カバーは、電極の材質を導電性樹脂とする共に電極と絶縁部とを多色成形により一体成形したことを特徴とする。
【０００７】
本発明の一つの実施の形態によれば、前記電極と前記絶縁部の表面の滑らかさは、異なっている。
【０００８】
本発明の別の実施の形態によれば、前記電極又は前記絶縁部のいずれか一方の表面が粗く、他方の表面が滑らかである。
【０００９】
本発明のさらに別の実施の形態によれば、前記電極と前記絶縁部とは異なる色とされている。本発明のさらに別の実施の形態によれば、前記電極のエリア内に外観上の電極が設けられている。本発明のさらに別の実施の形態によれば、前記電極の面積は前記外観上の電極の面積の２倍以上である。本発明のさらに別の実施の形態によれば、前記電極のうち前記外観上の電極を除くエリアと前記絶縁部とは同色の色づけがなされている。本発明のさらに別の実施の形態によれば、前記生体電気インピーダンス測定装置は体重計付き体脂肪計である。
【００１０】
【発明の実施の形態】
次に、図面に基づいて本発明の実施形態を説明する。
【００１１】
図１および図２は、それぞれ、本発明にかかる体脂肪計１の樹脂カバーの平面図とＡ−Ａの側面断面図である。３は金属製のカバーである。このカバー３内には、図示していない体脂肪計制御部が内設されている。
【００１２】
樹脂カバー４は導電性樹脂の一対の電流供給電極５、６と、電圧測定電極７、８と、絶縁部９と、リード線１０、１１と、操作表示部１３とを備える。操作表示部１３は、体重及び体脂肪率等を表示する表示部１３ａと、年齢、性別、身長等をセットするセットボタン１３ｂと、選択ボタン１５ｃとを備える。図６と同一の部分は、同一の符号をつけている。
【００１３】
次に、図３のフローチャートを用いて本発明にかかる樹脂カバーの製作工程を説明する。
【００１４】
ステップＳ１において、多色成形機により導電性樹脂で電極５〜８を成形する。この時、リード線の一端を電極に埋め込むように電極を成形する。ステップＳ２において、多色成形機により樹脂で絶縁部９を成形する。ステップＳ１とＳ２により、樹脂カバー４が多色成形により一体成形される。ステップＳ３において、操作表示部１３を樹脂カバー４に嵌め込む。ステップＳ４において、樹脂カバー４をカバー３上に嵌め込む。ステップＳ５において、リード線１０、１１のそれぞれの他端１０ａ、１１ａを図示していない体脂肪計制御部に接続する。
【００１５】
本発明による製作工程と従来技術による製作工程を比較すると、電極を樹脂カバーと一体成形するため、従来必要であった電極の樹脂カバーへの嵌め込み工程（図８のステップＳ１３〜Ｓ１６）が不要となる。しかも、これらの工程は、手作業を必要とするものなので、不要となることにより工数を大幅に削減できることになる。４個の電極の成形（ステップＳ１１）も一工程で出来ることになる。
【００１６】
電極５〜８と絶縁部９の区別は、両者の色を異なる色とすることにより行なう。また、両者の表面の滑らかさを変えることにより行なうようにしてもよい。例えば、電極の表面をざらざらにし、絶縁部の表面をつるつるにする。
【００１７】
次に、本発明に係る生体電気測定インピーダンス測定装置用電極の第二実施例について説明する。第二実施例では、第一実施例で示した電極は、本発明により電極の外観上の形の自由度を広げられることを示す。
【００１８】
図４は、第二実施例の樹脂カバーの平面図を示す。図１で示した樹脂カバーに対して、外観上の電極５ａ、６ａ、７ａおよび８ａが追加されているのみであり、他は同じである。電極５に対して、電極５ａは外観上の電極である。電極５、６、７、８及び絶縁部９は、同色の色づけがなされている。外観上の電極５ａ、６ａ、７ａおよび８ａは、電極５と異なる色により同色で色づけがなされている。
【００１９】
次に、図５のフローチャートを用いて第二実施例の樹脂カバーの製作工程を説明する。第一実施例の製作工程を示す図３と同一のステップには、同一の符号が付されている。図から明らかなように最初のステップＳ２１のみが付加されている。ステップＳ２１において、外観上の電極５ａ、６ａ、７ａおよび８ａを成形する。
【００２０】
これは、一例であるが、電極５のエリア内において、外観上の電極の形を自由に変えることができ、見栄えを良くすることが可能となる。本実施例に示す外観上の電極の形を電極の形にすることは、生体の被測定部位との接触抵抗の点から難しい。しかし、本発明による電極では、電極のエリアを大きく取ることが可能なので、接触抵抗と無関係に、外観上の電極の形を自由に設定することができる。
【００２１】
以上、本発明の樹脂カバーを使用して生体電気インピーダンスを測定する一つとして、体脂肪計を説明したが、本発明は体水分量等を測定するための生体電気インピーダンスを測定する全ての機器に適応することが可能である。
【００２２】
【発明の効果】
生体インピーダンス測定装置の電極を、導電性の樹脂の素材を使い、樹脂カバーと一体成形したことにより、電極を樹脂カバーに両面テープで取付ける必要がなく、製作工数の大幅な削減と、部品点数の削減による安価な体脂肪計を提供できる。また、一体成形により電極の面積を広くとることができ、デザイン上、電極の形の自由度が広がる。即ち、電極部分の色を樹脂カバーの色と異なったものにした時、外観上、電極の形を自由に設定でき、見栄えを良くすることができる。更に、電極が樹脂材のため、電極に足が乗った時、冷たく感じることが少なく、また電極の接触面積が広く精度の高い生体のインピーダンス測定装置用電極を提供できる。
【図面の簡単な説明】
【図１】本発明にかかる体脂肪計の平面図である。
【図２】本発明の図１におけるＡ−Ａ側面断面図である。
【図３】本発明にかかる製作工程を示すフローチャートである。
【図４】本発明にかかる第二実施例を説明するための樹脂カバーの平面図である。
【図５】本発明の第二実施例の製作工程を示すフローチャートである。
【図６】従来の体脂肪計の平面図である。
【図７】図４におけるＣ−Ｃの側面断面図である。
【図８】従来技術よる製作工程を示すフローチャートである。
【符号の説明】
１  体脂肪計
３、４６  カバー
４、４０  樹脂カバー
５、６  電流供給電極
７、８、４２  電圧測定電極
５ａ、６ａ、７ａ、８ａ  外観上の電極
９  絶縁部
１０、１１、４５  リード線
１０ａ、１１ａ、４５ａ  リード線の一端
１３  操作表示部
１３ａ  表示部
１３ｂ  セットボタン
１３ｃ  選択ボタン
４１  電極取付け部
４３  両面テープ
【図１】
0003719649.tif 000002
【図２】
0003719649.tif 000003
【図３】
0003719649.tif 000004
【図４】
0003719649.tif 000005
【図５】
0003719649.tif 000006
【図６】
0003719649.tif 000007
【図７】
0003719649.tif 000008
【図８】
0003719649.tif 000009